(57)【要約】【課題】リテーナの脚部の経時変化の抑制と、パイプが正規位置に挿入されていない状態でのリテーナの押し込み方向への移動を規制できるクイックコネクタを提供する。【解決手段】抜止脚部３２は、リテーナ３０が初期位置に位置し、且つ、パイプ３がコネクタ本体１０の正規位置に挿入された状態において、リテーナ３０に押し込み荷重が加えられる場合に、環状突部３ａの外周面にガイドされることで一対の抜止脚部３２，３２を拡開変形させると同時に、一対の抜止脚部３２，３２の拡開変形によってリテーナ３０の初期位置から確認位置への移動規制を解除するガイド突起４４を備える。【選択図】図１Ａ
2015135128.tif 000002
【特許請求の範囲】
【請求項１】
環状突部を有するパイプを挿入可能なコネクタ本体と、
前記パイプが前記コネクタ本体の軸方向の正規位置に位置する状態において、前記コネクタ本体の軸方向に交差する方向への押し込み操作により前記コネクタ本体に対して初期位置から確認位置へ移動するリテーナであり、前記確認位置にて前記環状突部に軸方向に係止することで前記パイプを抜け止めする一対の抜止脚部を備える前記リテーナと、
を備えるクイックコネクタであって、
前記一対の抜止脚部は、前記リテーナが初期位置に位置する状態で且つ拡開変形していない状態において、前記コネクタ本体に対して押し込み方向に係止されることで前記リテーナの前記初期位置から前記確認位置への移動を規制され、
前記一対の抜止脚部のそれぞれの抜止脚部は、
前記リテーナが前記初期位置に位置し、且つ、前記パイプが前記コネクタ本体の正規位置に挿入された状態において、前記リテーナに押し込み荷重が加えられる場合に、前記環状突部の外周面にガイドされることで前記一対の抜止脚部を拡開変形させると同時に、前記一対の抜止脚部の拡開変形によって前記リテーナの前記初期位置から前記確認位置への移動規制を解除するガイド突起を備え、
前記ガイド突起は、前記リテーナが前記確認位置に位置する状態において、前記環状突部の外周面によるガイドの解放により、前記一対の抜止脚部の拡開変形を復帰させる、
クイックコネクタ。
【請求項２】
前記それぞれの抜止脚部は、
前記リテーナが前記初期位置に位置する状態において、前記環状突部との当接に伴って前記一対の抜止脚部を拡開変形させることにより前記パイプの通過を許容し、前記パイプが前記正規位置に到達すると前記一対の抜止脚部の拡開変形量を減少させることで前記環状突部に軸方向に係止して前記パイプを抜け止めする仮抜止部と、
前記リテーナが前記確認位置に位置する状態において、前記環状突部に軸方向に係止して前記パイプを抜け止めする本抜止部と、
を備える、
請求項１に記載のクイックコネクタ。
【請求項３】
前記それぞれの抜止脚部は、
前記リテーナが前記初期位置に位置し、且つ、前記パイプが前記コネクタ本体に挿入されていない状態において、前記ガイド突起より前記それぞれの抜止脚部の先端側に、前記リテーナの前記初期位置から前記確認位置への移動を規制する押込規制突起を備える、
請求項１又は２に記載のクイックコネクタ。
【請求項４】
前記ガイド突起は、前記リテーナが前記確認位置に位置する状態において、前記環状突部に対して前記リテーナの引き抜き方向に係止する、請求項１〜３の何れか一項に記載のクイックコネクタ。
【請求項５】
前記ガイド突起は、
前記リテーナが前記確認位置に位置する状態において、前記リテーナに引き抜き荷重が加えられる場合に、前記環状突部の外周面にガイドされることで前記一対の抜止脚部を拡開変形させ、且つ、前記リテーナを前記確認位置から前記初期位置へ移動させる、
請求項４に記載のクイックコネクタ。
【請求項６】
前記それぞれの抜止脚部は、
前記リテーナが前記初期位置に位置し、且つ、前記パイプが前記コネクタ本体の正規位置に挿入された状態において、前記リテーナに引き抜き荷重が加えられる場合に、前記コネクタ本体にガイドされることで前記一対の抜止脚部を拡開変形させ、前記一対の抜止脚部の拡開変形によって前記仮抜止部と前記環状突部との係止が解除され、前記コネクタ本体から前記パイプの引き抜きを許容する第一リリース用ガイド部を備える、
請求項２に記載のクイックコネクタ。
【請求項７】
前記それぞれの抜止脚部は、
前記リテーナが前記確認位置に位置する状態において、前記リテーナに引き抜き荷重が加えられる場合に、前記コネクタ本体にガイドされることで前記一対の抜止脚部を拡開変形させ、且つ、前記リテーナを前記確認位置から前記初期位置へ移動させる第二リリース用ガイド部を備える、
請求項１〜４の何れか一項に記載のクイックコネクタ。
【請求項８】
前記リテーナは、
前記一対の抜止脚部とは独立した脚部であって、前記コネクタ本体に対する前記リテーナの姿勢を規制する姿勢用脚部を備える、
請求項１〜７の何れか一項に記載のクイックコネクタ。
【請求項９】
環状突部を有するパイプを挿入可能なコネクタ本体と、
前記パイプが前記コネクタ本体の軸方向の正規位置に位置する状態において、前記コネクタ本体の軸方向に交差する方向への押し込み操作により前記コネクタ本体に対して初期位置から確認位置へ移動するリテーナであり、前記確認位置にて前記環状突部に軸方向に係止することで前記パイプを抜け止めする一対の抜止脚部を備える、前記リテーナと、
を備えるクイックコネクタであって、
前記一対の抜止脚部のそれぞれの抜止脚部は、
前記リテーナが前記初期位置に位置する状態において、前記環状突部との当接に伴って前記一対の抜止脚部を拡開変形させることにより前記パイプの通過を許容し、前記パイプが前記正規位置に到達すると前記一対の抜止脚部の拡開変形量を減少させることで前記環状突部に軸方向に係止して前記パイプを抜け止めする仮抜止部と、
前記リテーナが前記確認位置に位置する状態において、前記環状突部に軸方向に係止して前記パイプを抜け止めする本抜止部と、
前記リテーナが前記初期位置に位置し、且つ、前記パイプが前記コネクタ本体の正規位置に挿入された状態において、前記リテーナに引き抜き荷重が加えられる場合に、前記コネクタ本体にガイドされることで前記一対の抜止脚部を拡開変形させ、前記一対の抜止脚部の拡開変形によって前記仮抜止部と前記環状突部との係止が解除され、前記コネクタ本体から前記パイプの引き抜きを許容する第一リリース用ガイド部と、
を備える、
クイックコネクタ。
【請求項１０】
環状突部を有するパイプを挿入可能なコネクタ本体と、
前記パイプが前記コネクタ本体の軸方向の正規位置に位置する状態において、前記コネクタ本体の軸方向に交差する方向への押し込み操作により前記コネクタ本体に対して初期位置から確認位置へ移動するリテーナであり、前記確認位置にて前記環状突部に軸方向に係止することで前記パイプを抜け止めする一対の抜止脚部を備える、前記リテーナと、
を備えるクイックコネクタであって、
前記一対の抜止脚部のそれぞれの抜止脚部は、
前記リテーナが前記確認位置に位置する状態において、前記リテーナに引き抜き荷重が加えられる場合に、前記コネクタ本体にガイドされることで前記一対の抜止脚部を拡開変形させ、且つ、前記リテーナを前記確認位置から前記初期位置へ移動させる第二リリース用ガイド部を備える、
クイックコネクタ。
【発明の詳細な説明】
【技術分野】
【０００１】
本発明は、環状突部を有するパイプを連結するクイックコネクタに関するものである。
【背景技術】
【０００２】
特開２００４−００３５８８号公報（特許文献１）、特開２０１１−１７４５０８号公報（特許文献２）、特表２００８−５１２６０７号公報（特許文献３）および特開２００６−１８３８３３号公報（特許文献４）に記載のコネクタは、コネクタ本体とリテーナとを備える構成であり、作業者がリテーナをコネクタ本体に対して押し込み操作することで、リテーナがパイプの環状突部に係止してパイプを抜け止めする。リテーナの押し込み操作を可能にするには、パイプがコネクタ本体の正規位置に挿入されていることが要件となる。つまり、上記コネクタは、リテーナの押し込み操作によって、パイプの正規位置への挿入を確認できる。
【０００３】
特許文献１，２に記載のコネクタでは、リテーナが初期位置（押し込み前の位置）に位置する状態において、パイプが正規位置に位置することによって、リテーナの脚部がパイプの環状突部によって拡開変形する。リテーナの脚部の拡開変形によって、リテーナが押し込み操作可能となる。特許文献３，４に記載のコネクタでは、リテーナが初期位置に位置する状態において、パイプが正規位置に位置することによって、リテーナの脚部がパイプの環状突部によって軸方向に押し付けられて軸方向に撓み変形する。リテーナの脚部の撓み変形によって、リテーナが押し込み操作可能となる。
【先行技術文献】
【特許文献】
【０００４】
【特許文献１】特開２００４−００３５８８号公報
【特許文献２】特開２０１１−１７４５０８号公報
【特許文献３】特表２００８−５１２６０７号公報
【特許文献４】特開２００６−１８３８３３号公報
【発明の概要】
【発明が解決しようとする課題】
【０００５】
しかし、上記コネクタでは、パイプが正規位置に挿入された後に、リテーナが押し込み操作される前において、リテーナの脚部は拡開変形した状態または軸方向に撓み変形した状態となる。仮に長時間に亘って上記状態が継続された場合に、リテーナの脚部が経時変化するおそれがある。そうすると、パイプが正規位置に位置しない状態であっても、リテーナが初期位置から押し込み方向へ移動可能となるおそれがある。
【０００６】
通常は、作業者の迅速な作業により上記問題が生じることは回避されるが、より安全性を高めるために、リテーナが初期位置に位置する状態において、パイプが正規位置に挿入された場合に、リテーナの脚部の変形量が小さいことが望まれる。
【０００７】
一方、リテーナが初期位置に位置する状態で、且つ、パイプがコネクタ本体に挿入されていない状態においては、リテーナがコネクタ本体に係止されることで、リテーナの初期位置から押し込み方向への移動が規制される必要がある。そこで、パイプが正規位置に挿入された時にリテーナの脚部の変形量を大きくすることで、パイプが挿入されていない状態においてリテーナが初期位置からの移動が確実に規制される。
【０００８】
つまり、パイプが正規位置に挿入された状態においてリテーナの脚部の経時変化を抑制するためには、当該状態におけるリテーナの脚部の変形量を小さくすることが求められる。一方、パイプが正規位置に挿入されていない状態においてリテーナの押し込み方向への移動を確実に規制するためには、リテーナによるコネクタ本体との規制解除に必要なリテーナの脚部の変形量を大きくすることが求められる。
【０００９】
本発明は、パイプが正規位置に挿入された状態においてリテーナの脚部の経時変化を抑制すると共に、パイプが正規位置に挿入されていない状態においてリテーナの押し込み方向への移動を確実に規制できるクイックコネクタを提供することを目的とする。
【課題を解決するための手段】
【００１０】
＜第一手段＞
上記課題を解決するために、リテーナが初期位置に位置し、且つ、パイプが正規位置に挿入された状態において、リテーナに押し込み荷重が加えられることによって、リテーナの一対の抜止脚部が拡開変形することとした。
【００１１】
すなわち、第一手段に係るクイックコネクタは、環状突部を有するパイプを挿入可能なコネクタ本体と、前記パイプが前記コネクタ本体の軸方向の正規位置に位置する状態において、前記コネクタ本体の軸方向に交差する方向への押し込み操作により前記コネクタ本体に対して初期位置から確認位置へ移動するリテーナであり、前記確認位置にて前記環状突部に軸方向に係止することで前記パイプを抜け止めする一対の抜止脚部を備える前記リテーナと、を備える。
前記一対の抜止脚部は、前記リテーナが初期位置に位置する状態で且つ拡開変形していない状態において、前記コネクタ本体に対して押し込み方向に係止されることで前記リテーナの前記初期位置から前記確認位置への移動を規制される。
前記一対の抜止脚部のそれぞれの抜止脚部は、前記リテーナが前記初期位置に位置し、且つ、前記パイプが前記コネクタ本体の正規位置に挿入された状態において、前記リテーナに押し込み荷重が加えられる場合に、前記環状突部の外周面にガイドされることで前記一対の抜止脚部を拡開変形させると同時に、前記一対の抜止脚部の拡開変形によって前記リテーナの前記初期位置から前記確認位置への移動規制を解除するガイド突起を備える。
前記ガイド突起は、前記リテーナが前記確認位置に位置する状態において、前記環状突部の外周面によるガイドの解放により、前記一対の抜止脚部の拡開変形を復帰させる。
【００１２】
リテーナに押し込み荷重が加えられた場合に、リテーナの一対の抜止脚部のガイド突起が環状突部にガイドされることを利用して、一対の抜止脚部が拡開変形する。そのため、リテーナが初期位置に位置し、且つ、パイプが正規位置に挿入された状態において、リテーナに押し込み荷重が加えられていなければ、一対の抜止脚部の拡開変形量が小さくなるか、もしくは、拡開変形量が全くない状態になる。従って、一対の抜止脚部の経時変化が抑制される。
【００１３】
さらに、パイプが正規位置に位置する状態においてリテーナに押し込み荷重が加えられることで、一対の抜止脚部が拡開変形するため、一対の抜止脚部による移動規制のために必要な変形量は十分に大きくなる。従って、パイプが正規位置に挿入されていない状態において、リテーナの押し込み方向への移動は確実に規制される。
【００１４】
＜第一手段の実施態様＞
上記手段に係るクイックコネクタの好適な実施態様について以下に説明する。すなわち、上記手段に係るクイックコネクタは、以下の好適な態様に限定されるものではない。
【００１５】
前記それぞれの抜止脚部は、前記リテーナが前記初期位置に位置する状態において、前記環状突部との当接に伴って前記一対の抜止脚部を拡開変形させることにより前記パイプの通過を許容し、前記パイプが前記正規位置に到達すると前記一対の抜止脚部の拡開変形量を減少させることで前記環状突部に軸方向に係止して前記パイプを抜け止めする仮抜止部と、前記リテーナが前記確認位置に位置する状態において、前記環状突部に軸方向に係止して前記パイプを抜け止めする本抜止部と、を備えるようにしてもよい。
【００１６】
一対の抜止脚部は、環状突部が仮抜止部を通過する際に拡開変形する。続いて、パイプが正規位置に到達すると、一対の抜止脚部の拡開変形量が一気に減少する。つまり、パイプが挿入され始めて正規位置に到達した時には、一対の抜止脚部の拡開変形の復帰に伴う音が発生する。この音によって、作業者は、パイプが正規位置に挿入されたことを確認できる。
【００１７】
また、前記それぞれの抜止脚部は、前記リテーナが前記初期位置に位置し、且つ、前記パイプが前記コネクタ本体に挿入されていない状態において、前記ガイド突起より前記それぞれの抜止脚部の先端側に、前記リテーナの前記初期位置から前記確認位置への移動を規制する押込規制突起を備えるようにしてもよい。
【００１８】
つまり、ガイド突起と押込規制突起とが、それぞれの抜止脚部に設けられる。これにより、パイプがコネクタ本体に挿入されていない状態におけるリテーナの確認位置への移動規制と、ガイド突起が環状突部にガイドされる状態におけるリテーナの確認位置への移動許容とが、容易に且つ確実に実行される。
【００１９】
また、前記ガイド突起は、前記リテーナが前記確認位置に位置する状態において、前記環状突部に対して前記リテーナの引き抜き方向に係止するようにしてもよい。つまり、リテーナが確認位置に位置する状態において、ガイド突起がリテーナの引き抜き方向の動作を規制する。従って、リテーナが確認位置に位置する状態において、リテーナが容易に引き抜かれることが防止される。
【００２０】
また、前記ガイド突起は、前記リテーナが前記確認位置に位置する状態において、前記リテーナに引き抜き荷重が加えられる場合に、前記環状突部の外周面にガイドされることで前記一対の抜止脚部を拡開変形させ、且つ、前記リテーナを前記確認位置から前記初期位置へ移動させるようにしてもよい。
【００２１】
つまり、リテーナが確認位置から初期位置へ移動する際において、ガイド突起が、一対の抜止脚部の拡開変形をガイドする。従って、ガイド突起は、リテーナが初期位置から確認位置へ移動する際、および、確認位置から初期位置へ移動する際の両者において、一対の抜止脚部の拡開変形をガイドする。これにより、抜止脚部が容易な構成となる。
【００２２】
また、前記それぞれの抜止脚部は、前記リテーナが前記初期位置に位置し、且つ、前記パイプが前記コネクタ本体の正規位置に挿入された状態において、前記リテーナに引き抜き荷重が加えられる場合に、前記コネクタ本体にガイドされることで前記一対の抜止脚部を拡開変形させ、前記一対の抜止脚部の拡開変形によって前記仮抜止部と前記環状突部との係止が解除され、前記コネクタ本体から前記パイプの引き抜きを許容する第一リリース用ガイド部を備えるようにしてもよい。
【００２３】
上記構成においては、リテーナの引き抜き操作によって第一リリース用ガイド部がコネクタ本体にガイドされることで、仮抜止部と環状突部との係止が確実に解除される。つまり、作業者は、リテーナによりパイプを係止する場合にはリテーナに押し込み荷重を加え、パイプを引き抜く状態にするにはリテーナに引き抜き荷重を加える。これにより、作業者は、リテーナの操作を容易に把握できる。
【００２４】
また、前記それぞれの抜止脚部は、前記リテーナが前記確認位置に位置する状態において、前記リテーナに引き抜き荷重が加えられる場合に、前記コネクタ本体にガイドされることで前記一対の抜止脚部を拡開変形させ、且つ、前記リテーナを前記確認位置から前記初期位置へ移動させる第二リリース用ガイド部を備えるようにしてもよい。
【００２５】
このような構成であっても、リテーナの引き抜き操作によって第二リリース用ガイド部がコネクタ本体にガイドされることで、リテーナが確認位置から初期位置へ確実に移動される。
【００２６】
また、前記リテーナは、前記一対の抜止脚部とは独立した脚部であって、前記コネクタ本体に対する前記リテーナの姿勢を規制する姿勢用脚部を備えるようにしてもよい。これにより、リテーナが初期位置から確認位置へ移動する際、確認位置から初期位置へ移動する際、および、初期位置からリリース状態へ移動する際において、リテーナの姿勢が維持される。従って、リテーナによる確認動作およびリリース動作が確実に行われる。
【００２７】
＜第二手段＞
ここで、上述した第一手段に係るクイックコネクタの実施態様の中の一部を独立して抽出することができる。抽出した第二手段に係るクイックコネクタは、以下のとおりである。
【００２８】
第二手段に係るクイックコネクタは、環状突部を有するパイプを挿入可能なコネクタ本体と、前記パイプが前記コネクタ本体の軸方向の正規位置に位置する状態において、前記コネクタ本体の軸方向に交差する方向への押し込み操作により前記コネクタ本体に対して初期位置から確認位置へ移動するリテーナであり、前記確認位置にて前記環状突部に軸方向に係止することで前記パイプを抜け止めする一対の抜止脚部を備える、前記リテーナと、を備える。
前記一対の抜止脚部のそれぞれの抜止脚部は、前記リテーナが前記初期位置に位置する状態において、前記環状突部との当接に伴って前記一対の抜止脚部を拡開変形させることにより前記パイプの通過を許容し、前記パイプが前記正規位置に到達すると前記一対の抜止脚部の拡開変形量を減少させることで前記環状突部に軸方向に係止して前記パイプを抜け止めする仮抜止部と、前記リテーナが前記確認位置に位置する状態において、前記環状突部に軸方向に係止して前記パイプを抜け止めする本抜止部と、前記リテーナが前記初期位置に位置し、且つ、前記パイプが前記コネクタ本体の正規位置に挿入された状態において、前記リテーナに引き抜き荷重が加えられる場合に、前記コネクタ本体にガイドされることで前記一対の抜止脚部を拡開変形させ、前記一対の抜止脚部の拡開変形によって前記仮抜止部と前記環状突部との係止が解除され、前記コネクタ本体から前記パイプの引き抜きを許容する第一リリース用ガイド部とを備える。
【００２９】
上記構成においては、リテーナの引き抜き操作によって第一リリース用ガイド部がコネクタ本体にガイドされることで、仮抜止部と環状突部との係止が確実に解除される。つまり、作業者は、リテーナによりパイプを係止する場合にはリテーナに押し込み荷重を加え、パイプを引き抜く状態にするにはリテーナに引き抜き荷重を加える。これにより、作業者は、操作を容易に把握できる。
【００３０】
＜第三手段＞
また、上述した第一手段に係るクイックコネクタの実施態様の中の他の一部を独立して抽出することができる。抽出した第三手段に係るクイックコネクタは、以下のとおりである。
【００３１】
第三手段に係るクイックコネクタは、環状突部を有するパイプを挿入可能なコネクタ本体と、前記パイプが前記コネクタ本体の軸方向の正規位置に位置する状態において、前記コネクタ本体の軸方向に交差する方向への押し込み操作により前記コネクタ本体に対して初期位置から確認位置へ移動するリテーナであり、前記確認位置にて前記環状突部に軸方向に係止することで前記パイプを抜け止めする一対の抜止脚部を備える、前記リテーナと、を備える。
前記一対の抜止脚部のそれぞれの抜止脚部は、前記リテーナが前記確認位置に位置する状態において、前記リテーナに引き抜き荷重が加えられる場合に、前記コネクタ本体にガイドされることで前記一対の抜止脚部を拡開変形させ、且つ、前記リテーナを前記確認位置から前記初期位置へ移動させる第二リリース用ガイド部を備える。
【００３２】
このような構成であっても、リテーナの引き抜き操作によって第二リリース用ガイド部がコネクタ本体にガイドされることで、リテーナが確認位置から初期位置へ確実に移動される。
【図面の簡単な説明】
【００３３】
【図１Ａ】クイックコネクタ１とパイプ３とを連結する前の状態であって、リテーナ３０が初期位置に位置する状態のクイックコネクタ１およびパイプ３の斜視図である。
【図１Ｂ】図１Ａに示すクイックコネクタ１およびパイプ３の軸方向断面図である。
【図２Ａ】クイックコネクタ１とパイプ３とを連結した状態であって、リテーナ３０が確認位置に位置する状態のクイックコネクタ１およびパイプ３の斜視図である。
【図２Ｂ】図２Ａに示すクイックコネクタ１およびパイプ３の軸方向断面図である。
【図３Ａ】コネクタ本体１０の正面図である。
【図３Ｂ】図３Ａにおける“３Ｂ”方向矢視図である。
【図３Ｃ】図３Ａにおける“３Ｃ”方向矢視図である。
【図３Ｄ】図３Ｂにおける“３Ｄ−３Ｄ”断面図である。
【図３Ｅ】図３Ａにおける“３Ｅ−３Ｅ”断面図である。
【図３Ｆ】図３Ａにおける“３Ｆ−３Ｆ”断面図である。
【図３Ｇ】図３Ａにおける“３Ｇ−３Ｇ”断面図である。
【図４Ａ】リテーナ３０の正面図である。
【図４Ｂ】図４Ａにおける“４Ｂ”方向矢視図である。
【図４Ｃ】図４Ａにおける“４Ｃ”方向矢視図である。
【図４Ｄ】図４Ａにおける“４Ｄ”方向矢視図である。
【図４Ｅ】図４Ａにおける“４Ｅ”方向矢視図である。
【図４Ｆ】図４Ｂにおける“４Ｆ−４Ｆ”断面図である。
【図４Ｇ】図４Ｆにおける“４Ｇ−４Ｇ”断面図である。
【図４Ｈ】図４Ｆにおける“４Ｈ−４Ｈ”断面図である。
【図５Ａ】（パイプ挿入前状態）パイプ３をクイックコネクタ１に挿入する前の状態であり、リテーナ３０が初期位置に位置する状態を示し、図１Ｂにおけるクイックコネクタ１の“５Ａ−５Ａ”断面図である。
【図５Ｂ】図５Ａと同様の状態を示し、図１Ｂにおける “５Ｂ−５Ｂ”断面図である。
【図５Ｃ】図５Ａと同様の状態を示し、図１Ｂにおける “５Ｃ−５Ｃ”断面図である。
【図６Ａ】（パイプ挿入完了状態）パイプ３をクイックコネクタ１の正規位置に挿入された状態であり、リテーナ３０が初期位置に位置する状態を示し、図１Ｂにおけるクイックコネクタ１およびパイプ３の“５Ａ−５Ａ”に相当する位置の断面図である。
【図６Ｂ】図６Ａと同様の状態を示し、図１Ｂにおける“５Ｂ−５Ｂ” に相当する位置の断面図である。
【図６Ｃ】図６Ａと同様の状態を示し、図１Ｂにおける“５Ｃ−５Ｃ” に相当する位置の断面図である。
【図７Ａ】（確認状態）リテーナ３０を初期位置から確認位置へ移動させた状態を示し、図２Ｂにおけるクイックコネクタ１およびパイプ３の“７Ａ−７Ａ”断面図である。
【図７Ｂ】図７Ａと同様の状態を示し、図２Ｂにおける “７Ｂ−７Ｂ”断面図である。
【図７Ｃ】図７Ａと同様の状態を示し、図２Ｂにおける “７Ｃ−７Ｃ”断面図である。
【図８Ａ】（リリース状態）リテーナ３０初期位置からリリース位置へ移動させた状態を示し、図２Ｂにおけるクイックコネクタ１およびパイプ３の“７Ａ−７Ａ”に相当する位置の断面図である。
【図８Ｂ】図６Ａと同様の状態を示し、図２Ｂにおける“７Ｂ−７Ｂ” に相当する位置の断面図である。
【図８Ｃ】図６Ａと同様の状態を示し、図２Ｂにおける“７Ｃ−７Ｃ” に相当する位置の断面図である。
【発明を実施するための形態】
【００３４】
＜第一実施形態＞
（１．クイックコネクタ１の概要）
本実施形態のクイックコネクタ１の概要について、図１Ａ、図１Ｂおよび図２Ａ、図２Ｂを参照して説明する。クイックコネクタ１は、例えば自動車の燃料配管を構成するために用いられる。つまり、クイックコネクタ１は、例えば燃料を流通させるための流路を形成する。クイックコネクタ１の一端側には、樹脂チューブ（図示せず）の端部が外装され、クイックコネクタ１の他端側には、パイプ３の端部が挿入される。このようにして、樹脂チューブとパイプ３とを連結する。
【００３５】
ここで、パイプ３は、図１Ａおよび図１Ｂに示すように、例えば金属製の筒状に形成されており、先端から軸方向に距離を隔てた位置に径方向外側に突出形成された環状突部３ａ（フランジ部、ビードとも称する）を備える。以下の説明において、パイプ３の環状突部３ａより先端側の小径部位は、先端部３ｂとする。
【００３６】
また、以下の説明において、軸方向とは、クイックコネクタ１にパイプ３が挿入された状態におけるパイプ３の軸方向である。下方向とは、パイプ３の軸方向から見た場合に、リテーナ３０の押し込み方向であり、上方向とは、リテーナ３０の引き抜き方向（反押し込み方向）である。左右方向とは、パイプ３の軸方向から見た場合に、上下方向に直交する方向である。
【００３７】
クイックコネクタ１は、コネクタ本体１０と、リテーナ３０と、シールユニット７０とを備える。
コネクタ本体１０は、例えばガラス繊維強化ポリアミド製であって、貫通した流路を有するように成形される。図１に示すコネクタ本体１０は、Ｌ字状に貫通形成される形状を示すが、この他に、直線状に貫通形成されるようにしてもよい。また、コネクタ本体１０は、一体成形される場合に限られず、複数の部品を結合することにより形成してもよい。
【００３８】
図１Ａおよび図１Ｂに示すように、コネクタ本体１０は、チューブ接続部１１とパイプ挿入部１２とを備える。チューブ接続部１１は、コネクタ本体１０の一端側（図１Ｂの左下側）に設けられ、チューブ接続部１１には樹脂チューブ（図示せず）が外装される。チューブ接続部１１の外周面は、樹脂チューブを嵌め込んだ状態で抜けないようにするために、流路に沿った方向に段状に形成される。
【００３９】
パイプ挿入部１２は、コネクタ本体１０の他端側（図１Ｂの右側）に設けられ、図２Ａおよび図２Ｂに示すように、パイプ３の先端部３ｂおよび環状突部３ａの部位を挿入可能である。パイプ挿入部１２の内周側には、図１Ｂおよび図２Ｂに示すように、シールユニット７０が配置される。シールユニット７０は、例えば、フッ素ゴム製の環状シール部材７１，７２と、環状シール部材７１，７２の軸方向の間に挟まれるようにして樹脂製のカラー７３と、環状シール部材７１，７２およびカラー７３をコネクタ本体１０に位置決めする樹脂製のブッシュ７４とから構成される。シールユニット７０の内周側には、図２Ｂに示すように、パイプ３の先端部３ｂが挿入される。
【００４０】
リテーナ３０は、例えばガラス繊維強化ポリアミド製である。リテーナ３０は、作業者による径方向（コネクタ本体１０におけるパイプ挿入軸方向に交差する方向）への押し込み操作および引き抜き操作によって、コネクタ本体１０に移動可能に設けられる。パイプ３がコネクタ本体１０の正規位置に挿入された場合に、リテーナ３０が図１Ａおよび図１Ｂに示す初期位置から図２Ａおよび図２Ｂに示す確認位置へ移動可能となる。従って、作業者は、リテーナ３０が押し込み操作できる場合には、パイプ３が正規位置に挿入されたことを確認できる。
【００４１】
さらに、リテーナ３０が確認位置へ押し込み操作された状態において、リテーナ３０は、パイプ３の環状突部３ａに軸方向に係止して、リテーナ３０はパイプ３を抜け止めする。つまり、作業者は、リテーナ３０を押し込み操作することによって、パイプ３が正規位置に挿入され、かつ、パイプ３がリテーナ３０によって抜止されていることを、確認することができる。
【００４２】
（２．コネクタ本体１０のパイプ挿入部１２の詳細構成）
コネクタ本体１０のパイプ挿入部１２の詳細構成について、主として図３Ａ〜図３Ｇを参照して説明する。パイプ挿入部１２は、筒部２１と、開口端座部材２２と、上部連結部材２３と、下部連結部材２４と、一対の引抜被係止部２５，２５と、一対の押込被係止部２６，２６と、一対のレール溝２７，２７とを備える。
【００４３】
筒部２１の内周面は、図３Ｄおよび図３Ｅに示すように、パイプ３の挿入側に対して奥側に位置する小径部２１ａと、小径部２１ａよりパイプ３の挿入側に小径部２１ａより大径のシールユニット配置部２１ｂとを備える。小径部２１ａには、パイプ３の先端部３ｂが挿入され、小径部２１ａは、図２Ｂに示すように、環状突部３ａの挿入不能な径に形成される。シールユニット配置部２１ｂは、シールユニット７０（図１Ｂ、図２Ｂに示す）を位置決めできるように形成される。
【００４４】
開口端座部材２２は、図３Ａ〜図３Ｅに示すように、筒部２１から軸方向に距離を隔てて同軸状に設けられている。さらに、開口端座部材２２には、図３Ｃ〜図３Ｅに示すように、開口孔２２ａが形成されている。開口孔２２ａは、図２Ｂに示すように、パイプ３の環状突部３ａを通過可能な大きさに形成される。
【００４５】
上部連結部材２３は、図３Ａ〜図３Ｂ、図３Ｄに示すように、筒部２１の上部と開口端座部材２２の上部とを連結する。下部連結部材２４は、図３Ａ、図３Ｄ〜図３Ｅに示すように、筒部２１の下部と開口端座部材２２の下部とを軸方向に連結する部位である。ここで、上部連結部材２３および下部連結部材２４は、パイプ３の環状突部３ａに対して軸方向に干渉しない位置に設けられている。
【００４６】
一対の引抜被係止部２５，２５は、図３Ｇに示すように、上部連結部材２３の左右端から下方向に向かってそれぞれ遠ざかるように円弧状に延出されている。それぞれの引抜被係止部２５，２５の先端（図３Ｇの下端）の外周側には、先端側ほど幅が薄くなるように、テーパ部２５ａ，２５ａが形成される。
【００４７】
一対の引抜被係止部２５，２５は、図３Ａ〜図３Ｂ、図３Ｆ〜図３Ｇに示すように、上部連結部材２３のうち軸方向中央より筒部２１側に設けられている。つまり、一対の引抜被係止部２５，２５と開口端座部材２２との軸方向間には、隙間が形成されている。
【００４８】
一対の押込被係止部２６，２６は、図３Ｇに示すように、下部連結部材２４の左右端から上方向に向かってそれぞれ遠ざかるように円弧状に延出されている。一対の押込被係止部２６，２６は、一対の引抜被係止部２５，２５と軸方向同位置に設けられている。つまり、一対の押込被係止部２６，２６と開口端座部材２２との軸方向間には、隙間が形成されている。図３Ｇに示すように、押込被係止部２６，２６の先端（上端）は、引抜被係止部２５，２５の先端（下端）との間に、上下方向の隙間が形成されている。
【００４９】
一対の引抜被係止部２５，２５および一対の押込被係止部２６，２６は、パイプ３の環状突部３ａに対して軸方向に干渉しない位置に設けられている。そして、後述するリテーナ３０が初期位置に位置する場合に、それぞれの引抜被係止部２５，２５の先端が、リテーナ３０の一対の抜止脚部３２，３２における押込規制突起４５に対して引き抜き方向に係止する。リテーナ３０が初期位置に位置する場合に、それぞれの押込被係止部２６，２６の先端が、リテーナ３０の一対の抜止脚部３２，３２における押込規制突起４５に対して押し込み方向に係止する。
【００５０】
一対のレール溝２７，２７は、図３Ａ〜図３Ｂ、図３Ｅ〜図３Ｆに示すように、筒部２１の端部外周から側方に張り出すように、且つ、一対の引抜被係止部２５，２５および一対の押込被係止部２６，２６より軸方向奥側に設けられる。一対のレール溝２７，２７は、上下方向に延びるように形成される。一対のレール溝２７，２７は、後述するリテーナ３０の一対の姿勢用脚部３３，３３を上下方向にガイドする。
【００５１】
（３．リテーナ３０の詳細構成）
次に、リテーナ３０の詳細構成について、図４Ａ〜図４Ｈを参照して説明する。リテーナ３０は、図４Ｂおよび図４Ｃに示すように、逆Ｕ字形状に形成される。リテーナ３０は、基部３１と、一対の抜止脚部３２，３２と、一対の姿勢用脚部３３，３３と、一対のリリース用操作部３４，３４とを備える。
【００５２】
基部３１は、図４Ｂ、図４Ｄに示すように、逆Ｕ字形状の頂部に位置し、ほぼ平板状に形成される。基部３１の軸方向奥側の下面には、図４Ｅ〜図４Ｆに示すように、切欠３１ａが形成される。切欠３１ａは、リテーナ３０が確認位置に位置する状態において、コネクタ本体１０と基部３１との間に隙間を形成する。例えば、切欠３１ａは、作業者がマイナスドライバーなどの治具を挿入して、リテーナ３０を引き抜くために用いられる。
【００５３】
一対の抜止脚部３２，３２は、図４Ｂおよび図４Ｃに示すように、基部３１の左右両端に拡開変形可能に設けられる。一対の抜止脚部３２，３２のそれぞれの抜止脚部３２は、脚部本体４１と、仮抜止部４２と、本抜止部４３と、ガイド突起４４と、押込規制突起４５とを備える。
【００５４】
脚部本体４１，４１は、図４Ａおよび図４Ｃに示すように、基部３１の左右両側から下方に延び、軸方向に所定幅を有する。脚部本体４１の軸方向幅は、コネクタ本体１０のレール溝２７と開口端座部材２２との軸方向隙間と同程度である。
【００５５】
仮抜止部４２，４２は、図４Ｂ、図４Ｃ、図４Ｅ、図４Ｆに示すように、それぞれの脚部本体４１，４１の軸方向挿入側端（図４Ｆの右側）、且つ、脚部本体４１，４１の先端側から、内側（脚部本体４１，４１の対向側）に張り出すように設けられる。仮抜止部４２，４２の軸方向奥側の面４２ｂ，４２ｂ（図４Ｆの左面、図４Ｃに図示される面）は、平面状（軸に直交する面状）に形成されている。一方、仮抜止部４２，４２の軸方向挿入側の面４２ａ，４２ａ（図４Ｆの右面、図４Ｂに図示される面）は、対向する側に向かって、薄くなるように傾斜している。仮抜止部４２，４２は、リテーナ３０が初期位置に位置する状態において、パイプ３の環状突部３ａの通過を許容すると共に、通過した環状突部３ａに対して軸方向に係止可能である。
【００５６】
本抜止部４３，４３は、図４Ｂ、図４Ｃ、図４Ｅ、図４Ｆに示すように、それぞれの脚部本体４１，４１の軸方向挿入側端（図４Ｆの右側）、且つ、脚部本体４１，４１の基部３１側から、内側（脚部本体４１，４１の対向側）に張り出すように設けられる。本抜止部４３，４３と仮抜止部４２，４２とが、同一平面上に連続的な平板状の部材を構成する。本抜止部４３，４３は、リテーナ３０が確認位置に位置する状態において、パイプ３の環状突部３ａに対して軸方向に係止可能である。
【００５７】
ガイド突起４４，４４は、図４Ｃ、図４Ｆ、図４Ｇに示すように、仮抜止部４２，４２および本抜止部４３，４３の軸方向奥側の面に設けられ、脚部本体４１，４１から内側に張り出すように設けられる。ガイド突起４４，４４は、仮抜止部４２，４２と本抜止部４３，４３との境界位置に設けられ、内側ほど尖った形状に形成される。さらに詳細には、ガイド突起４４，４４の下面および上面は、それぞれ、環状突部３ａの外周面に対応する円弧凹状に形成される。
【００５８】
つまり、ガイド突起４４，４４によって、本抜止部４３，４３の軸方向奥側の面には、パイプ３の環状突部３ａに対応する円形の座面４３ａ，４３ａが形成される。ただし、円形の座面４３ａ，４３ａの中央には、パイプ３の環状突部３ａ以外の小径部位を通過可能な貫通孔が設けられる。また、ガイド突起４４，４４によって、仮抜止部４２，４２の軸方向奥側の面には、パイプ３の環状突部３ａに対応する座面４２ｂ，４２ｂが形成される。ただし、当該座面４２ｂ，４２ｂの中央には、パイプ３の環状突部３ａ以外の小径部位を通過可能な貫通孔が設けられる。
【００５９】
押込規制突起４５，４５は、図４Ｃ、図４Ｅ、図４Ｆ、図４Ｈに示すように、それぞれの脚部本体４１，４１の軸方向奥側端（図４Ｆの左側）、且つ、脚部本体４１，４１の先端側から、内側（脚部本体４１，４１の対向側）に張り出すように設けられる。押込規制突起４５，４５は、爪形状に形成される。つまり、押込規制突起４５，４５は、ガイド突起４４，４４より脚部本体４１，４１の先端側に設けられる。
【００６０】
押込規制突起４５，４５の上面側には、引抜被係止部２５，２５の先端の外周側に形成されるテーパ部２５ａ，２５ａに係合するテーパ部４５ａ，４５ａ（第一リリース用ガイド部）が形成される。押込規制突起４５のテーパ部４５ａの長さは、引抜被係止部２５のテーパ部２５ａの長さより長い。さらに、押込規制突起４５，４５の下端面には、押込被係止部２６，２６の先端に引っかかるように、小突起４５ｂ，４５ｂが設けられる。
【００６１】
一対の姿勢用脚部３３，３３は、図４Ａおよび図４Ｃに示すように、基部３１の左右両側から下方に延びる。一対の姿勢用脚部３３，３３は、一対の抜止脚部３２，３２から僅かな隙間を介して軸方向奥側に設けられる。つまり、一対の姿勢用脚部３３，３３は、一対の抜止脚部３２，３２とは独立した脚部である。一対の姿勢用脚部３３，３３の軸方向幅は、一対の抜止脚部３２，３２の軸方向幅より小さい。一対の姿勢用脚部３３，３３は、コネクタ本体１０のパイプ挿入部１２の一対のレール溝２７，２７に挿入され、コネクタ本体１０に対するリテーナ３０の姿勢を規制する。
【００６２】
一対のリリース用操作部３４，３４は、図４Ａ〜図４Ｄに示すように、一対の脚部本体４１，４１の上端から、外側（脚部本体４１，４１の反対向側）に張り出すように設けられる。一対のリリース用操作部３４，３４は、作業者が指を引っかけて引き抜くことができるように形成される。
【００６３】
（４．動作説明）
次に、クイックコネクタ１にパイプ３の挿入から、リテーナ３０による完全な係止状態までの動作、および、リテーナ３０による完全な係止状態からパイプ３を引き抜くまでの動作について説明する。
【００６４】
（４−１．パイプ挿入前状態）
パイプ挿入前状態について、図１Ａ〜図１Ｂ、図５Ａ〜図５Ｃを参照して説明する。パイプ挿入前状態とは、図１Ａ〜図１Ｂ、図５Ａ〜図５Ｃに示すように、リテーナ３０をコネクタ本体１０に対して初期位置に位置し、且つ、パイプ３がコネクタ本体１０に挿入される前の状態である。
【００６５】
リテーナ３０は、コネクタ本体１０の筒部２１と開口端座部材２２との軸方向間の上方から装着される。つまり、図５Ａ〜図５Ｃに示すように、リテーナ３０の一対の抜止脚部３２，３２および一対の姿勢用脚部３３，３３が、コネクタ本体１０の上部連結部材２３を跨ぐように挿入される。
【００６６】
図１Ａに示すように、姿勢用脚部３３が、コネクタ本体１０のレール溝２７に挿入され、抜止脚部３２が、レール溝２７と開口端座部材２２との軸方向隙間に位置する。つまり、姿勢用脚部３３は、拡開変形を規制されるのに対して、抜止脚部３２は、拡開変形を許容される。
【００６７】
ここで、図５Ａ、図５Ｂに示すように、抜止脚部３２のうち仮抜止部４２、本抜止部４３およびガイド突起４４の軸方向位置には、引抜被係止部２５および押込被係止部２６は存在しない。従って、仮抜止部４２、本抜止部４３およびガイド突起４４は、引抜被係止部２５および押込被係止部２６に対して、押し込み方向および引き抜き方向に何ら係止されない。
【００６８】
一方、抜止脚部３２のうち押込規制突起４５の軸方向位置には、引抜被係止部２５および押込被係止部２６が存在する。図５Ｃに示すように、リテーナ３０の初期位置において、押込規制突起４５は、引抜被係止部２５の先端（下端）と押込被係止部２６の先端（上端）との上下方向隙間から内側に進入した状態となる。従って、リテーナ３０は、パイプ挿入前状態においては、初期位置に位置する状態で且つ拡開変形していない状態となる。ここで、押込規制突起４５は、引抜被係止部２５に対して引き抜き方向に係止される。一方、押込規制突起４５は、押込被係止部２６に対して押し込み方向に係止される。
【００６９】
ただし、押込規制突起４５のテーパ部４５ａが、引抜被係止部２５のテーパ部２５ａに係止される。そのため、作業者がリテーナ３０に引き抜き荷重を加えると、押込規制突起４５のテーパ部４５ａが引抜被係止部２５のテーパ部２５ａにガイドされて、一対の抜止脚部３２，３２が拡開変形する。ただし、押込規制突起４５の最先端が引抜被係止部２５の先端に係止されることで、リテーナ３０に引き抜き荷重が加えられた場合に、一対の抜止脚部３２，３２の所定量以上の拡開変形が規制される。
【００７０】
また、押込規制突起４５の小突起４５ｂが押込被係止部２６の先端に係止されることで、リテーナ３０に押し込み荷重が加えられた場合に、一対の抜止脚部３２，３２の拡開変形が規制される。
【００７１】
上記状態において、図５Ａに示すように、一対の抜止脚部３２，３２の仮抜止部４２，４２の薄い部位が、パイプ３の環状突部３ａの進入位置に位置する。つまり、仮抜止部４２，４２は、パイプ３の環状突部３ａに対して当接可能な位置に位置する。
【００７２】
（４−２．パイプの挿入開始から挿入完了状態）
次に、パイプ３がコネクタ本体１０に挿入されて、パイプ３が正規位置に到達するまでの状態について、図６Ａ〜図６Ｃを参照して説明する。パイプ３の先端部３ｂがコネクタ本体１０に挿入され、環状突部３ａが仮抜止部４２に当接するまでの間は、リテーナ３０は拡開変形しない。
【００７３】
パイプ３がさらに軸方向奥側へ挿入されることで、環状突部３ａが仮抜止部４２の軸方向挿入側の面４２ａに当接し且つ押し付ける。この押し付けに伴って、一対の抜止脚部３２，３２が拡開変形する。そうすると、仮抜止部４２はパイプ３の環状突部３ａの通過を許容するため、パイプ３がさらに軸方向奥側へ挿入される。
【００７４】
パイプ３の環状突部３ａが仮抜止部４２を通過すると、環状突部３ａがガイド突起４４の存在する位置に到達する。仮抜止部４２の軸方向奥側の座面４２ｂの部位に、環状突部３ａが位置する。当該位置が、パイプ３の正規位置である。パイプ３が正規位置に到達すると、座面４２ｂによる空間によって、一対の抜止脚部３２，３２の拡開変形量が一気に減少する。
【００７５】
一対の抜止脚部３２，３２の拡開変形量が減少する間、リテーナ３０は、パイプ３およびコネクタ本体１０によって何ら規制されていない。そのため、パイプ３が挿入され始めて正規位置に到達した時には、一対の抜止脚部３２，３２の拡開変形の復帰に伴う音が発生する。特に、リテーナ３０が何ら規制されていないため、リテーナ３０の振動によって、高周波の音（高い音）が発生する。この音によって、作業者は、パイプ３が正規位置に挿入されたことを確認できる。
【００７６】
上述したように、パイプ３が正規位置に到達すると一対の抜止脚部３２，３２の拡開変形量が減少する。つまり、この状態において、仮抜止部４２が、環状突部３ａに軸方向に係止する。従って、仮抜止部４２が、パイプ３を抜け止めする。
【００７７】
上述したように、パイプ３が正規位置に位置する状態において、図６Ｂに示すように、環状突部３ａの軸方向位置には、ガイド突起４４が存在する。そのため、リテーナ３０は、パイプ３が挿入される前の状態（図５Ａ〜図５Ｃ参照）に比べて、パイプ３が挿入された状態（図６Ａ〜図６Ｃ参照）のときには、上方に位置する。従って、リテーナ３０の押込規制突起４５の小突起４５ｂが、押込被係止部２６に係止されない位置に位置する。
【００７８】
（４−３．確認状態）
次に、リテーナ３０が初期位置から確認位置へ移動される状態について、図２Ａ〜図２Ｂ、図６Ｂ、図７Ａ〜図７Ｃを参照して説明する。図６Ｂに示すように、パイプ３が正規位置に位置する状態において、環状突部３ａとガイド突起４４との位置関係から、リテーナ３０の押込規制突起４５の小突起４５ｂは、押込被係止部２６に係止されない位置に位置する。
【００７９】
この状態で、作業者がリテーナ３０に押し付け荷重を加えた場合には、ガイド突起４４の下面が環状突部３ａの外周面にガイドされることで、一対の抜止脚部３２，３２は、下方へ移動しながら拡開変形する。同時に、一対の抜止脚部３２，３２の拡開変形によってリテーナ３０の押込規制突起４５と押込被係止部２６との係止が解除される。従って、リテーナ３０の初期位置から確認位置への移動規制が解除される。
【００８０】
作業者がリテーナ３０に押し付け荷重を加え続けることにより、リテーナ３０は、図７Ａ〜図７Ｃに示すように、確認位置へ到達する。このとき、ガイド突起４４は、環状突部３ａの外周面によるガイドの解放により、一対の抜止脚部３２，３２の拡開変形が復帰する。そして、環状突部３ａは、本抜止部４３の軸方向奥側の座面４３ａの部位に位置する。
【００８１】
つまり、リテーナ３０が確認位置に位置する状態において、図７Ｂに示すように、ガイド突起４４は、環状突部３ａに対してリテーナ３０の引き抜き方向に係止する。従って、ガイド突起４４がリテーナ３０の引き抜き方向の動作を規制する。その結果、リテーナ３０が確認位置に位置する状態において、リテーナ３０が容易に引き抜かれることが防止される。
【００８２】
リテーナ３０が確認位置に位置する状態において、パイプ３の環状突部３ａは、本抜止部４３に軸方向に係止される。本抜止部４３は、仮抜止部４２より基部３１側に位置する。従って、一対の抜止脚部３２，３２が所定量だけ拡開変形した状態において、本抜止部４３の部位における拡開変形量は、仮抜止部４２の部位における拡開変形量より小さくなる。そのため、本抜止部４３の拡開変形量が最大となる状態において、本抜止部４３が環状突部３ａに軸方向に係止する状態を設計することが可能となる。つまり、環状突部３ａが本抜止部４３に軸方向に係止することで、確実に、パイプ３が抜け止めされる。
【００８３】
ここで、リテーナ３０が初期位置から確認位置へ移動する際において、姿勢用脚部３３がレール溝２７にガイドされる。そのため、リテーナ３０の姿勢は、コネクタ本体１０に対して規制される。その結果、リテーナ３０による確認動作が確実に行われる。
【００８４】
（４−４．リリース状態）
保守などにおいてクイックコネクタ１からパイプ３を引き抜く場合が生じる。図７Ａ〜図７Ｃに示すようにリテーナ３０が確認位置に位置する状態において、作業者は、リリース用操作部３４に指を引っかけて、リテーナ３０に引き抜き荷重を加えてリテーナ３０を引き抜く。
【００８５】
ここで、図７Ｂに示すように、ガイド突起４４は、環状突部３ａに対してリテーナ３０の引き抜き方向に係止する。従って、リテーナ３０が確認位置に位置する状態において、リテーナ３０に引き抜き荷重が加えられる場合に、ガイド突起４４の上面が環状突部３ａの外周面にガイドされることで、一対の抜止脚部３２，３２は、上方へ移動しながら拡開変形する。作業者がリテーナ３０に引き抜き荷重を加え続けることで、リテーナ３０は確認位置（図７Ａ〜図７Ｃ参照）から初期位置（図６Ａ〜図６Ｃ参照）に移動する（一次リリース）。
【００８６】
仮に、作業者がリリース用操作部３４の引っかけのみによりリテーナ３０を引き抜くことが困難な場合には、作業者は、マイナスドライバーなどの治具を基部３１の切欠３１ａ（図２Ｂ、図４Ｅ、図４Ｆ参照）に挿入して、リテーナ３０をコネクタ本体１０から引き離すことができる。
【００８７】
リテーナ３０が初期位置へ移動したとしても、仮抜止部４２が環状突部３ａに軸方向に係止する。そのため、この状態では、作業者は、パイプ３をコネクタ本体１０から引き抜くことはできない。
【００８８】
そこで、リテーナ３０が初期位置に位置する状態において、作業者がリリース用操作部３４に指を引っかけて、リテーナ３０にさらなる引き抜き荷重を加える。そうすると、図８Ｂ〜図８Ｃに示すように、リテーナ３０の押込規制突起４５のテーパ部４５ａがコネクタ本体１０の引抜被係止部２５のテーパ部２５ａにガイドされて、一対の抜止脚部３２，３２が拡開変形する。一対の抜止脚部３２，３２の拡開変形によって、図８Ａに示すように、仮抜止部４２による環状突部３ａの係止が解除される。この状態で、作業者は、パイプ３をコネクタ本体１０から引き抜くことが可能となる。
【００８９】
ここで、リテーナ３０が確認位置から初期位置へ移動する際、および、リテーナ３０が初期位置から引き抜き荷重を加えられる際において、姿勢用脚部３３がレール溝２７にガイドされる。そのため、リテーナ３０の姿勢は、コネクタ本体１０に対して規制される。その結果、リテーナ３０によるリリース動作が確実に行われる。
【００９０】
（５．本実施形態の効果）
リテーナ３０が初期位置に位置する状態で、且つ、パイプ３が正規位置に位置する状態において、リテーナ３０に押し込み荷重が加えられた場合に、リテーナ３０の一対の抜止脚部３２，３２のガイド突起４４が環状突部３ａにガイドされることを利用して、一対の抜止脚部３２，３２が拡開変形する。そのため、リテーナ３０が初期位置に位置し、且つ、パイプ３が正規位置に挿入された状態において、リテーナ３０に押し込み荷重が加えられていなければ、一対の抜止脚部３２，３２の拡開変形量が小さくなるか、もしくは、拡開変形量が全くない状態になる。従って、一対の抜止脚部３２，３２の経時変化が抑制される。
【００９１】
さらに、パイプ３が正規位置に位置する状態においてリテーナ３０に押し込み荷重が加えられることで、一対の抜止脚部３２，３２が拡開変形するため、一対の抜止脚部３２，３２による移動規制のために必要な変形量は十分に大きくなる。従って、パイプ３が正規位置に挿入されていない状態において、リテーナ３０の押し込み方向への移動は確実に規制される。
【００９２】
また、ガイド突起４４と押込規制突起４５とが、それぞれの抜止脚部３２に設けられる。これにより、パイプ３がコネクタ本体１０に挿入されていない状態におけるリテーナ３０の確認位置への移動規制と、ガイド突起４４が環状突部３ａにガイドされる状態におけるリテーナ３０の確認位置への移動許容とが、容易に且つ確実に実行される。
【００９３】
また、ガイド突起４４は、リテーナ３０が初期位置から確認位置へ移動する際、および、確認位置から初期位置へ移動する際の両者において、一対の抜止脚部３２，３２の拡開変形をガイドする。これにより、抜止脚部３２，３２が容易な構成となる。
【００９４】
また、抜止脚部３２の押込規制突起４５は、テーパ部４５ａを備える。リテーナ３０が初期位置に位置する状態においてリテーナ３０の引き抜き操作によって、テーパ部４５ａ（第一リリース用ガイド部）が引抜被係止部２５のテーパ部２５ａにガイドされることで、仮抜止部４２と環状突部３ａとの係止が確実に解除される。つまり、作業者は、リテーナ３０によりパイプ３を係止する場合にはリテーナ３０に押し込み荷重を加えるのに対して、パイプ３を引き抜く状態にするにはリテーナ３０に引き抜き荷重を加える。これにより、作業者は、リテーナ３０の操作を容易に把握できる。
【００９５】
＜他の実施形態＞
上記実施形態においては、それぞれの抜止脚部３２が、ガイド突起４４と押込規制突起４５とを備える。この他に、ガイド突起４４と押込規制突起４５とが別々の脚部に設けられ、ガイド突起４４を備える脚部と押込規制突起４５を備える脚部とが連動して動作可能な構成を採用することもできる。
【００９６】
上記実施形態においては、リテーナ３０が確認位置から初期位置へ移動する際に、ガイド突起４４が環状突部３ａにガイドされることで、一対の抜止脚部３２，３２が拡開変形する。この他に、リテーナ３０が確認位置から初期位置へ移動する際に、ガイド突起４４とは異なるリテーナ３０の部位（例えば押込規制突起４５）(第二リリース用ガイド部)が、コネクタ本体１０の部位（例えば押込被係止部２６）にガイドされることで、一対の抜止脚部３２，３２が拡開変形するようにしてもよい。
【符号の説明】
【００９７】
１：クイックコネクタ、  ３：パイプ、  ３ａ：環状突部、  １０：コネクタ本体、  ２５：引抜被係止部、  ２５ａ：テーパ部、  ２６：押込被係止部、  ２７：レール溝、  ３０：リテーナ、  ３１：基部、  ３２：抜止脚部、  ３３：姿勢用脚部、  ３４：リリース用操作部、  ４１：脚部本体、  ４２：仮抜止部、  ４２ａ：仮抜止部の軸方向挿入側の面、  ４２ｂ：仮抜止部の軸方向奥側の座面、  ４３：本抜止部、  ４３ａ：本抜止部の軸方向奥側の円形の座面、  ４４：ガイド突起、  ４５：押込規制突起、  ４５ａ：テーパ部、  ４５ｂ：小突起
【図１Ａ】
2015135128.tif 000003
【図１Ｂ】
2015135128.tif 000004
【図２Ａ】
2015135128.tif 000005
【図２Ｂ】
2015135128.tif 000006
【図３Ａ】
2015135128.tif 000007
【図３Ｂ】
2015135128.tif 000008
【図３Ｃ】
2015135128.tif 000009
【図３Ｄ】
2015135128.tif 000010
【図３Ｅ】
2015135128.tif 000011
【図３Ｆ】
2015135128.tif 000012
【図３Ｇ】
2015135128.tif 000013
【図４Ａ】
2015135128.tif 000014
【図４Ｂ】
2015135128.tif 000015
【図４Ｃ】
2015135128.tif 000016
【図４Ｄ】
2015135128.tif 000017
【図４Ｅ】
2015135128.tif 000018
【図４Ｆ】
2015135128.tif 000019
【図４Ｇ】
2015135128.tif 000020
【図４Ｈ】
2015135128.tif 000021
【図５Ａ】
2015135128.tif 000022
【図５Ｂ】
2015135128.tif 000023
【図５Ｃ】
2015135128.tif 000024
【図６Ａ】
2015135128.tif 000025
【図６Ｂ】
2015135128.tif 000026
【図６Ｃ】
2015135128.tif 000027
【図７Ａ】
2015135128.tif 000028
【図７Ｂ】
2015135128.tif 000029
【図７Ｃ】
2015135128.tif 000030
【図８Ａ】
2015135128.tif 000031
【図８Ｂ】
2015135128.tif 000032
【図８Ｃ】
2015135128.tif 000033